(57)【要約】【課題】カード挿入口に対する湿気対策を施した浴室テレビ装置【解決手段】ＣＡＳ（限定受信システム）カードのカード挿入口３ａを有するテレビ本体２を浴室壁部４の室内側壁面４ａに取付け、室内側壁面４ａに環状の止水パッキン５を介してテレビ本体２の裏面２ｂを密着させ、止水パッキン５の内側にカード挿入口３ａを臨ませたこと。【選択図】図１
2012085088.tif 000002
【特許請求の範囲】
【請求項１】
ＣＡＳ（限定受信システム）カードのカード挿入口を有するテレビ本体を浴室壁部の室内側壁面に取付けた浴室テレビ装置において、室内側壁面に環状の止水パッキンを介してテレビ本体の裏面を密着させ、止水パッキンの内側にカード挿入口を臨ませたことを特徴とする浴室テレビ装置。
【請求項２】
ＣＡＳ（限定受信システム）カードのカード挿入口を有するカード読取部を別体に備えるテレビ本体を浴室壁部の室内側壁面に取付けた浴室テレビ装置において、室内側壁面に環状の止水パッキンを介してテレビ本体の裏面を密着させ、止水パッキンの内側でテレビ本体の裏面から延長したケーブルを浴室壁部の貫通孔へ挿通させて浴室外側に導き、カード読取部を浴室壁部の室外側壁面の近辺に配置してケーブルに接続したことを特徴とする浴室テレビ装置。
【発明の詳細な説明】
【技術分野】
【０００１】
本発明は、浴室内壁面にＣＡＳ（Ｃｏｎｄｉｔｉｏｎａｌ  Ａｃｃｅｓｓ  Ｓｙｓｔｅｍ＝限定受信システム）カードを必要とするテレビ本体を取付けた浴室テレビ装置に関するものである。
【背景技術】
【０００２】
従来、浴室テレビ装置は、テレビ本体にＣＡＳカードを挿着するためのカード挿入口を設けると共に、カード挿入口を水密に覆う開閉蓋を設けたものがある。
【先行技術文献】
【特許文献】
【０００３】
【特許文献１】特開２００７−２８８７３８公報（図１１乃至図１３）
【発明の概要】
【発明が解決しようとする課題】
【０００４】
ところで、浴室テレビ装置は、浴室内が湿っているときに開閉蓋を誤って開くと、カード挿入口からカード読取部に湿気が浸入して好ましくない状態となる場合がある。
【０００５】
本発明は、上記問題を解決するために、カード挿入口に対する湿気対策を施した浴室テレビ装置の提供を目的とする。
【課題を解決するための手段】
【０００６】
請求項１記載の本発明が採用した手段は、ＣＡＳ（限定受信システム）カードのカード挿入口を有するテレビ本体を浴室壁部の室内側壁面に取付けた浴室テレビ装置において、室内側壁面に環状の止水パッキンを介してテレビ本体の裏面を密着させ、止水パッキンの内側にカード挿入口を臨ませたことを特徴とする浴室テレビ装置である。
【０００７】
なお、浴室内の湿気を浴室外側へ流出するのを阻止してケーブルを配線するためには、請求項１記載の本発明において、止水パッキンの内側で浴室壁部に貫通孔を設け、止水パッキンの内側でテレビ本体の裏面から延長したケーブル（電源ケーブルと受信用ケーブルの組合せ）を貫通孔へ挿通させて浴室外側に導くとよい。
【０００８】
請求項２記載の本発明が採用した手段は、ＣＡＳ（限定受信システム）カードのカード挿入口を有するカード読取部を別体に備えるテレビ本体を浴室壁部の室内側壁面に取付けた浴室テレビ装置において、室内側壁面に環状の止水パッキンを介してテレビ本体の裏面を密着させ、止水パッキンの内側でテレビ本体の裏面から延長したケーブルを浴室壁部の貫通孔へ挿通させて浴室外側に導き、カード読取部を浴室壁部の室外側壁面の近辺に配置してケーブルに接続したことを特徴とする浴室テレビ装置である。
【発明の効果】
【０００９】
請求項１記載の本発明に係る浴室テレビ装置は、浴室内の湿気がカード挿入口に浸入するのを止水パッキンで阻止することで、カード挿入口に対する湿気対策を施すことができ、テレビ本体を浴室壁部から外さない限り、カード挿入口に湿気が浸入しないものとなる。
【００１０】
請求項２記載の本発明に係る浴室テレビ装置は、浴室内の湿気が浴室壁部の貫通孔を介して浴室外側へ流出するのを止水パッキンで阻止することで、室外側壁面の近辺に配置したカード読取器のカード挿入口に対する湿気対策を施すことができ、テレビ本体を浴室壁部から外さない限り、カード読取器に湿気が浸入しないものとなる。
【図面の簡単な説明】
【００１１】
【図１】本発明に係る浴室テレビ装置（以下、「本発明テレビ装置」と言う。）の第１の実施の形態を示すものであって、図（Ａ）は浴室壁部の室内側壁面にテレビ本体を取付けた状態を浴室内側から見た斜視図、図（Ｂ）はテレビ本体を取付けた状態の縦断面図、図（Ｃ）はテレビ本体を取付ける途中の状態を浴室外側から見た斜視図、図（Ｄ）はテレビ本体を取付ける途中の状態の縦断面図である。
【図２】本発明テレビ装置の第２の実施の形態を示すものであって、図（Ａ）は浴室壁部の室内側壁面にテレビ本体を取付けた状態の縦断面図、図（Ｂ）はテレビ本体を取付ける途中の状態を浴室外側から見た斜視図、図（Ｃ）はテレビ本体を取付ける途中の状態の縦断面図である。
【発明を実施するための形態】
【００１２】
（第１の実施の形態）
本実施の形態に係る本発明テレビ装置１は、図１に示す如く、浴室壁部４の室内側壁面４ａに、ＣＡＳ（限定受信システム）カード（図示略）のカード挿入口３ａを有するテレビ本体２を取付けたものであって、室内側壁面４ａに環状の止水パッキン５を介してテレビ本体２の裏面２ｂを密着させ、止水パッキン５の内側５ａにカード挿入口３を臨ませてある。本発明テレビ装置１は、止水パッキン５の内側５ａと対面する浴室壁部４の箇所に貫通孔６を設け、止水パッキン５の内側５ａとなるテレビ本体２の裏面箇所２ｂ−１からケーブル取出部１０を介して延長したケーブル（電源ケーブルと信号用ケーブルの組合せ）７を貫通孔６へ挿通させて浴室外側Ｇに導いてある。
【００１３】
前記テレビ本体２は、チューナー部（図示略）を内蔵して、止水パッキン５の内側５ａとなる裏面箇所２ｂ−１にＣＡＳカードのカード読取部３を設け、前記ケーブル７の電源ケーブルに電源を接続すると共に信号用ケーブルにアンテナ等を接続することで、表側の表示面２ａに画像を映し出して音声を出力できるようにしてある。なお、テレビ本体２は、カード読取部３を内蔵してカード挿入口３ａを裏面箇所２ｂ−１に開口させる態様（図示略）もある。テレビ本体２は、止水パッキン５の内側５ａとなる裏面箇所２ｂ−１に凹部２ｃを設け、凹部２ｃにカード読取部３を設けるか又はカード挿入口３ａを開口させて、カード読取部３又はカード挿入口３ａを浴室壁部４の室内側壁面４ａに接触させないようにしてある。本発明テレビ装置１は、小型のＣＡＳカードを採用してカード読取部３及びカード挿入口３ａの小型化を図る場合には、テレビ本体２に設ける凹部２ｃの深さ寸法を小さくすることが可能となり、凹部２ｃを設けることによるテレビ本体２の厚み寸法の増大を抑制できる。
【００１４】
前記止水パッキン５は、テレビ本体２の裏面２ｂの所要箇所に予め貼着して浴室壁部４の室内側壁面４ａへ剥離自在に密着させる図示の態様と、浴室壁部４の室内側壁面４ａの所要箇所に予め貼着してテレビ本体２の裏面２ｂへ剥離自在に密着させる態様（図示略）と、テレビ本体２の裏面２ｂ及び浴室壁部４の室内側壁面４ａの各所要箇所の各々に一枚を貼着して二枚を剥離自在に密着させる態様（図示略）とがある。
【００１５】
前記浴室壁部４に対するテレビ本体２の取付けは、テレビ本体２の表側からビス８で浴室壁部４に止め付け、ビス８を化粧枠材２ｄで覆い隠すようにしてある。
【００１６】
本発明テレビ装置１は、浴室内Ｅの湿気がカード挿入口３ａに浸入するのを止水パッキン５で阻止することで、カード挿入口３ａに対する湿気対策を施すことができ、カード読取部３の良好な状態を維持させることが可能となる。
【００１７】
（第２の実施の形態）
本実施の形態に係る本発明テレビ装置２１は、図２に示す如く、ＣＡＳ（限定受信システム）カード（図示略）のカード挿入口３ａを有するカード読取部３を別体に備えるテレビ本体２を浴室壁部４の室内側壁面４ａに取付けたものであって、室内側壁面４ａに環状の止水パッキン５を介してテレビ本体２の裏面２ｂを密着させ、止水パッキン５の内側でテレビ本体２の裏面２ｂからケーブル取出部１０を介して延長したケーブル２７（電源ケーブルと信号用ケーブルとカード読取部用接続ケーブ２７ａの組合せ）を浴室壁部４の貫通孔６へ挿通させて浴室外側Ｇに導き、カード読取部３を浴室壁部４の室外側壁面４ｂの近辺に配置してケーブル２７ａに接続してある。
【００１８】
前記テレビ本体２は、チューナー部（図示略）を内蔵し、前記ケーブル２７の電源ケーブルに電源を接続すると共に、信号用ケーブルにアンテナ等を接続し、更にカード読取部用接続ケーブル２７ａにカード読取部３を接続することで、表側の表示面２ａに画像を映し出して音声を出力できるようにしてある。本発明テレビ装置２１は、ＣＡＳカードに小型のカードを採用することで、カード読取部３の小型軽量化が可能となり、カード読取部用接続ケーブル２７ａにカード読取部３を吊り下げるようにして、浴室壁部４となる壁パネルで構築したユニットバスの壁パネル外側の狭い空間に配置することも可能となる。
【００１９】
本発明テレビ装置２１は、浴室壁部４に設ける貫通孔６の大きさを、カード読取部３が挿通できる寸法とする場合には、テレビ本体２から延長したカード読取部用接続ケーブル２７ａに接続したカード読取部３を浴室内側Ｅから貫通孔６を介して浴室外側Ｇへ導き出すとこが可能となり、カード読取部３の施工時における配線作業を簡単することができる。
【００２０】
室内側壁面４ａに環状の止水パッキン５を介してテレビ本体２の裏面２ｂを密着させる態様としては、第１の実施の形態で説明した三つの態様がある。また、浴室壁部４に対するテレビ本体２の取付けは、第１の実施の形態と同様に、テレビ本体２の表側からビス８で浴室壁部４に止め付け、ビス８を化粧枠材２ｄで覆い隠すようにしてある。
【００２１】
本発明テレビ装置２１は、浴室内Ｅの湿気が浴室壁部４の貫通孔６を介して浴室外側Ｇへ流出するのを止水パッキン５で阻止することで、室外側壁面４ｂの近辺に配置したカード読取器３のカード挿入口３ａに対する湿気対策を施すことができ、カード読取部３の良好な状態を維持させることが可能となる。
【符号の説明】
【００２２】
１（２１）…本発明テレビ装置、２…テレビ本体、２ａ…表示面、２ｂ…裏面、２ｂ−１…止水パツキン５の内側５ａとなる裏面箇所、２ｃ…凹部、２ｄ…化粧枠材、３…カード読取部、３ａ…カード挿入口、４…浴室壁部、４ａ…室内側壁面  、４ｂ…室外側壁面、５…止水パッキン、６…貫通孔、７…ケーブル、８…ビス、１０…ケーブル取出部、２７…ケーブル、２７ａ…カード読取部用ケーブル、Ｅ…浴室内側、Ｇ…浴室外側
【図１】
2012085088.tif 000003
【図２】
2012085088.tif 000004